(57)【要約】【課題】選択用情報と選択結果との対応関係を視覚的に容易に把握することができる、表示システム、表示方法、及び表示プログラムを提供すること。【解決手段】前方表示画面と後方表示画面とを前方ディスプレイ１１と後方ディスプレイ１２により重畳的に表示可能である表示システム１において、前方表示画面の前方に重畳配置された接触検出面を有するタッチパネル１０と、前方表示画面の表示制御を行う前方制御部１３ａと、後方表示画面の表示制御を行う後方制御部１３ｂとを備え、前方制御部１３ａは、前方表示画面に選択可能な選択用情報を表示し、タッチパネル１０を介して選択用情報が選択された場合に後方制御部１３ｂは、選択された当該選択情報に対応する情報を前記後方表示画面に表示する。【選択図】図１
2013130551.tif 000002
【特許請求の範囲】
【請求項１】
前方表示画面と後方表示画面とをディスプレイにより重畳的に表示可能である表示システムにおいて、
前記前方表示画面の前方に重畳配置された接触検出面を有する入力手段と、
前記前方表示画面の表示制御を行う前方制御手段と、
前記後方表示画面の表示制御を行う後方制御手段とを備え、
前記前方制御手段は、前記前方表示画面に選択可能な選択用情報を表示し、
前記入力手段を介して前記選択用情報が選択された場合に、前記後方制御手段は、選択された当該選択情報に対応する情報を前記後方表示画面に表示する、
表示システム。
【請求項２】
前記選択用情報が、前記入力手段を介して選択可能な選択用項目である場合において、
前記前方制御手段によって前記前方表示画面に表示されている選択用項目が前記入力手段を介して仮選択された場合、
前記後方制御手段は、当該仮選択された選択用項目に対応する情報を前記後方表示画面に表示し、
前記前方制御手段によって前記前方表示画面に表示されている選択用項目が前記入力手段を介して最終選択され、かつ、当該最終選択された選択用項目に対応する制御が起動された場合、
前記後方制御手段は、当該最終選択された選択用項目に対応する情報を前記後方表示画面に表示する、
請求項１に記載の表示システム。
【請求項３】
前記選択用情報が、経路検索の目的地を選択するための情報である場合において、
前記前方制御手段によって前記前方表示画面に表示されている目的地が前記入力手段を介して仮選択された場合、前記後方制御手段は、前記後方表示画面の表示領域を少なくとも２分割し、いずれか一つの表示領域には所定方法で決定された現在地を含む地図情報を表示すると共に、いずれか一つの他の表示領域には前記仮選択された目的地を含む地図情報を表示し、
前記前方制御手段によって前記前方表示画面に表示されている目的地が前記入力手段を介して最終選択され、当該最終選択された目的地と前記現在地とに対する経路検索が起動された場合、前記後方制御手段は、前記一つの表示領域には前記現在地を含む地図情報を表示すると共に、前記一つの他の表示領域には前記最終選択された目的地を含む地図情報を表示した後、当該一つの表示領域と当該他の表示領域を統合して形成された一つの表示領域に前記現在地及び前記最終選択された目的地を含む地図情報を表示する、
請求項１又は２に記載の表示システム。
【請求項４】
前記後方制御手段は、前記現在地を含む地図情報の縮尺と、前記目的地を含む地図情報の縮尺とを、相互に異なる縮尺とする、
請求項３に記載の表示システム。
【請求項５】
前記後方制御手段は、前記現在地を含む地図情報の縮尺と、前記目的地を含む地図情報の縮尺とを、前記目的地が最終選択されてから前記一つの表示領域と前記他の表示領域を統合する迄の時間に応じた割合でそれぞれ変化させることにより、前記現在地を含む地図情報と前記目的地を含む地図情報とを同一のタイミングで相互に同一の縮尺の地図情報とする、
請求項４に記載の表示システム。
【請求項６】
前記ディスプレイは、前方ディスプレイと後方ディスプレイとを重畳配置して構成され、前記後方ディスプレイに表示された前記後方表示画面を前記前方ディスプレイに表示された前記前方表示画面に重畳させて、表示可能であり、
前記入力手段の接触検出面は、前記前方ディスプレイの前方に重畳配置され、
前記前方制御手段は、前記前方ディスプレイにおける前記前方表示画面の表示制御を行い、
前記後方制御手段は、前記後方ディスプレイにおける前記後方表示画面の表示制御を行い、
前記前方制御手段は、前記前方ディスプレイの前記前方表示画面に選択可能な選択用情報を表示し、
前記後方制御手段は、前記入力手段を介して前記選択用情報が選択された場合に、選択された当該選択情報に対応する情報を前記後方ディスプレイの前記後方表示画面に表示する、
請求項１から５のいずれか一項に記載の表示システム。
【請求項７】
前方表示画面と後方表示画面とをディスプレイにより重畳的に表示可能である表示方法において、
前記前方表示画面の前方に重畳配置された接触検出面を有する入力手段を介して入力を受け付ける入力ステップと、
前記前方表示画面の表示制御を行う前方制御ステップと、
前記後方表示画面の表示制御を行う後方制御ステップとを含み、
前記前方制御ステップにおいては、前記前方表示画面に選択可能な選択用情報を表示し、
前記入力ステップで前記選択用情報が選択された場合に、前記後方制御ステップにおいては、選択された当該選択情報に対応する情報を前記後方表示画面に表示する、
表示方法。
【請求項８】
請求項７に記載の方法をコンピュータに実行させる表示プログラム。
【発明の詳細な説明】
【技術分野】
【０００１】
本発明は、表示システム、表示方法、及び表示プログラムに関する。
【背景技術】
【０００２】
従来、複数の液晶パネルを重畳配置して構成した多層表示装置（ＭＬＤ：Ｍｕｌｔｉ  Ｌａｙｅｒ  Ｄｉｓｐｌａｙ）が知られている。例えば、乗員から見て手前側の第一ディスプレイと奥側の第二ディスプレイを重畳して配置した多層ディスプレイを有するナビゲーション装置であって、第一ディスプレイに第一の高さ情報を有する道路を、第二ディスプレイに第二の高さ情報を有する道路をそれぞれ表示して、１つの道路地図を描画する装置が提案されている（例えば、特許文献１参照）。
【先行技術文献】
【特許文献】
【０００３】
【特許文献１】特開２０１１−１４５１７２号公報
【発明の概要】
【発明が解決しようとする課題】
【０００４】
ところで、上述の如き従来のナビゲーション装置において、各種情報を選択して表示する場合、選択用情報の表示と、選択用情報を用いて選択された選択結果の表示とが、それぞれ別々に行われていたので、選択用情報と選択結果との対応関係を視覚的に把握することが困難であった。例えば、目的地までの経路を探索する場合には、選択用情報として、ディスプレイに複数の目的地候補をテキストにてリスト表示していた。そして、これら複数の目的地候補の中から、ユーザが一つの目的地候補を最終的な目的地として選択した場合には、選択結果として、現在地から当該選択された目的地までの経路を含んだ地図を表示していた。この場合、目的地の選択時には、複数の目的地候補のリストのみがテキスト表示されるだけであり、目的地候補の位置等を視覚的に確認等することが困難であった。
【０００５】
本発明は、上記に鑑みてなされたものであって、選択用情報と選択結果との対応関係を視覚的に容易に把握することができる、表示システム、表示方法、及び表示プログラムを提供することを目的とする。
【課題を解決するための手段】
【０００６】
上述した課題を解決し、目的を達成するために、請求項１に記載の表示システムは、前方表示画面と後方表示画面とをディスプレイにより重畳的に表示可能である表示システムにおいて、前記前方表示画面の前方に重畳配置された接触検出面を有する入力手段と、前記前方表示画面の表示制御を行う前方制御手段と、前記後方表示画面の表示制御を行う後方制御手段とを備え、前記前方制御手段は、前記前方表示画面に選択可能な選択用情報を表示し、前記入力手段を介して前記選択用情報が選択された場合に、前記後方制御手段は、選択された当該選択情報に対応する情報を前記後方表示画面に表示する。
【０００７】
また、請求項２に記載の表示システムは、請求項１に記載の表示システムにおいて、前記選択用情報が、前記入力手段を介して選択可能な選択用項目である場合において、前記前方制御手段によって前記前方表示画面に表示されている選択用項目が前記入力手段を介して仮選択された場合、前記後方制御手段は、当該仮選択された選択用項目に対応する情報を前記後方表示画面に表示し、前記前方制御手段によって前記前方表示画面に表示されている選択用項目が前記入力手段を介して最終選択され、かつ、当該最終選択された選択用項目に対応する制御が起動された場合、前記後方制御手段は、当該最終選択された選択用項目に対応する情報を前記後方表示画面に表示する。
【０００８】
また、請求項３に記載の表示システムは、請求項１又は２に記載の表示システムにおいて、前記選択用情報が、経路検索の目的地を選択するための情報である場合において、前記前方制御手段によって前記前方表示画面に表示されている目的地が前記入力手段を介して仮選択された場合、前記後方制御手段は、前記後方表示画面の表示領域を少なくとも２分割し、いずれか一つの表示領域には所定方法で決定された現在地を含む地図情報を表示すると共に、いずれか一つの他の表示領域には前記仮選択された目的地を含む地図情報を表示し、前記前方制御手段によって前記前方表示画面に表示されている目的地が前記入力手段を介して最終選択され、当該最終選択された目的地と前記現在地とに対する経路検索が起動された場合、前記後方制御手段は、前記一つの表示領域には前記現在地を含む地図情報を表示すると共に、前記一つの他の表示領域には前記最終選択された目的地を含む地図情報を表示した後、当該一つの表示領域と当該他の表示領域を統合して形成された一つの表示領域に前記現在地及び前記最終選択された目的地を含む地図情報を表示する。
【０００９】
また、請求項４に記載の表示システムは、請求項３に記載の表示システムにおいて、前記後方制御手段は、前記現在地を含む地図情報の縮尺と、前記目的地を含む地図情報の縮尺とを、相互に異なる縮尺とする。
【００１０】
また、請求項５に記載の表示システムは、請求項４に記載の表示システムにおいて、前記後方制御手段は、前記現在地を含む地図情報の縮尺と、前記目的地を含む地図情報の縮尺とを、前記目的地が最終選択されてから前記一つの表示領域と前記他の表示領域を統合する迄の時間に応じた割合でそれぞれ変化させることにより、前記現在地を含む地図情報と前記目的地を含む地図情報とを同一のタイミングで相互に同一の縮尺の地図情報とする。
【００１１】
また、請求項６に記載の表示システムは、請求項１から５のいずれか一項に記載の表示システムにおいて、前記ディスプレイは、前方ディスプレイと後方ディスプレイとを重畳配置して構成され、前記後方ディスプレイに表示された前記後方表示画面を前記前方ディスプレイに表示された前記前方表示画面に重畳させて、表示可能であり、前記入力手段の接触検出面は、前記前方ディスプレイの前方に重畳配置され、前記前方制御手段は、前記前方ディスプレイにおける前記前方表示画面の表示制御を行い、前記後方制御手段は、前記後方ディスプレイにおける前記後方表示画面の表示制御を行い、前記前方制御手段は、前記前方ディスプレイの前記前方表示画面に選択可能な選択用情報を表示し、前記後方制御手段は、前記入力手段を介して前記選択用情報が選択された場合に、選択された当該選択情報に対応する情報を前記後方ディスプレイの前記後方表示画面に表示する。
【００１２】
また、請求項７に記載の表示方法は、前方表示画面と後方表示画面とをディスプレイにより重畳的に表示可能である表示方法において、前記前方表示画面の前方に重畳配置された接触検出面を有する入力手段を介して入力を受け付ける入力ステップと、前記前方表示画面の表示制御を行う前方制御ステップと、前記後方表示画面の表示制御を行う後方制御ステップとを含み、前記前方制御ステップにおいては、前記前方表示画面に選択可能な選択用情報を表示し、前記入力ステップで前記選択用情報が選択された場合に、前記後方制御ステップにおいては、選択された当該選択情報に対応する情報を前記後方表示画面に表示する。
【００１３】
また、請求項８に記載の表示プログラムは、請求項７に記載の方法をコンピュータに実行させる表示プログラムである。
【発明の効果】
【００１４】
請求項１に記載の表示システム、請求項７に記載の表示方法、及び請求項８に記載の表示プログラムによれば、前方表示画面に選択可能な選択用情報を表示し、入力手段を介して選択用情報が選択された場合に、選択された当該選択情報に対応する情報を前記後方表示画面に表示するので、後方表示画面に表示した選択用情報に対応した情報を見ながら、当該選択用情報に対する操作を行うことができ、選択用情報の操作を行う際の利便性や視覚効果を向上させることができる。
【００１５】
請求項２に記載の表示システムによれば、選択用項目が仮選択された場合、当該仮選択された選択用項目に対応する情報を後方表示画面に表示し、選択用項目が最終選択され、かつ、当該最終選択された選択用項目に対応する制御が起動された場合、当該最終選択された選択用項目に対応する情報を後方表示画面に表示するので、後方表示画面の選択用情報に対応した情報を見ながら、当該選択用情報に対する仮の選択や最終の選択の操作を行うことができ、選択用情報の選択を行う際の利便性や視覚効果を向上させることができる。
【００１６】
請求項３に記載の表示システムによれば、目的地が仮選択された場合、後方表示画面の表示領域を少なくとも２分割し、いずれか一つの表示領域には所定方法で決定された現在地を含む地図情報を表示すると共に、いずれか一つの他の表示領域には仮選択された目的地を含む地図情報を表示し、目的地が最終選択され、当該最終選択された目的地と現在地とに対する経路検索が起動された場合、一つの表示領域には現在地を含む地図情報を表示すると共に、一つの他の表示領域には最終選択された目的地を含む地図情報を表示した後、当該一つの表示領域と当該他の表示領域を統合して形成された一つの表示領域に現在地及び最終選択された目的地を含む地図情報を表示するので、現在地と目的地を確認が容易な拡大縮尺でそれぞれ表示した後、これらの間の経路の確認が容易な統合表示を行うので、経路検索を行う際の利便性や視覚効果を向上させることができる。
【００１７】
請求項４に記載の表示システムによれば、現在地を含む地図情報の縮尺と、目的地を含む地図情報の縮尺とを、相互に異なる縮尺とするので、現在地と目的地を確認が容易な拡大縮尺にそれぞれ最適化することができ、経路検索を行う際の利便性や視覚効果を一層向上させることができる。
【００１８】
請求項５に記載の表示システムによれば、現在地を含む地図情報の縮尺と、目的地を含む地図情報の縮尺とを、目的地が最終選択されてから一つの表示領域と他の表示領域を統合する迄の時間に応じた割合でそれぞれ変化させることにより、現在地を含む地図情報と目的地を含む地図情報とを同一のタイミングで相互に同一の縮尺の地図情報とするので、異なる縮尺の地図情報を縮尺変更しながら最終的に同一タイミングで同一の縮尺で表示することができ、経路検索を行う際の視覚効果を一層向上させることができる。
【００１９】
請求項６に記載の表示システムによれば、前方ディスプレイの前方表示画面に選択可能な選択用情報を表示し、入力手段を介して選択用情報が選択された場合に、選択された当該選択情報に対応する情報を後方ディスプレイの前記後方表示画面に表示するので、前方ディスプレイと後方ディスプレイとを重畳配置して構成されたマルチレイヤーディスプレイ型の表示システムにおいて、視覚効果を一層向上させることができる。
【図面の簡単な説明】
【００２０】
【図１】本発明の実施の形態１に係る表示システムを例示するブロック図である。
【図２】前方ディスプレイ及び後方ディスプレイの配置を概略的に示した斜視図である。
【図３】前方ディスプレイ及び後方ディスプレイの表示を例示した正面図であり、図３（ａ）は前方ディスプレイの表示を例示した図、図３（ｂ）は後方ディスプレイの表示を例示した図、図３（ｃ）は重畳配置された前方ディスプレイ及び後方ディスプレイの前方から見た場合の表示を例示した図である。
【図４】表示処理のフローチャートである。
【図５】入力制御処理のフローチャートである。
【図６】前方ディスプレイ及び後方ディスプレイの表示を例示した正面図であり、図６（ａ）は前方ディスプレイの表示を例示した図、図６（ｂ）は後方ディスプレイの表示を例示した図である。
【図７】前方ディスプレイ及び後方ディスプレイの表示を例示した正面図であり、図７（ａ）は前方ディスプレイの表示を例示した図、図７（ｂ）は後方ディスプレイの表示を例示した図である。
【図８】実施の形態２に係る表示変更処理のフローチャートである。
【図９】入力制御処理のフローチャートである。
【図１０】後方ディスプレイの表示を例示した正面図であり、図１０（ａ）は縮尺変更前の図、図１０（ｂ）は縮尺変更中の図、図１０（ｃ）は縮尺変更後の図である。
【図１１】表示変更処理のフローチャートである。
【発明を実施するための形態】
【００２１】
以下、本発明に係る表示システム、表示方法、及び表示プログラムの各実施の形態について図面を参照しつつ詳細に説明する。ただし、各実施の形態によって本発明が限定されるものではない。なお、本発明に係る表示システム、表示方法、及び表示プログラムは、任意の目的に使用することができるが、以下の実施の形態では、カーナビゲーションシステムに適用した例を示す。
【００２２】
〔実施の形態１〕
最初に、実施の形態１に係る表示システムについて説明する。この実施の形態１は、前方ディスプレイに表示されている選択用情報に対応する情報を、後方ディスプレイの全面に表示する形態である。
【００２３】
（構成）
最初に、実施の形態１に係る表示システムの構成について説明する。図１は実施の形態１に係る表示システムを例示するブロック図である。この図１に示すように、表示システム１は、タッチパネル１０、前方ディスプレイ１１、後方ディスプレイ１２、制御部１３、及びデータ記録部１４を備えている。
【００２４】
（構成−タッチパネル）
タッチパネル１０は、接触検出面を有する入力手段である。このタッチパネル１０は、透明又は半透明状に形成され、前方ディスプレイ１１の前面において当該前方ディスプレイ１１の表示面と重なり合うように設けられている。このタッチパネル１０としては、例えば抵抗膜方式や静電容量方式等による接触検出面を備えた公知のタッチパネルを使用することができる。
【００２５】
（構成−前方ディスプレイ及び後方ディスプレイ）
前方ディスプレイ１１及び後方ディスプレイ１２は、制御部１３の制御に基づき、各種の情報を表示する表示手段である。これらの前方ディスプレイ１１及び後方ディスプレイ１２は、例えば公知の液晶ディスプレイや有機ＥＬディスプレイの如きフラットパネルディスプレイを用いて構成されている。
【００２６】
図２は、前方ディスプレイ１１及び後方ディスプレイ１２の配置を概略的に示した斜視図である。この図２に示すように、前方ディスプレイ１１と後方ディスプレイ１２とは距離を隔てて重畳配置されている。ここで「前方」とは、前方ディスプレイ１１及び後方ディスプレイ１２における表示方向（図２における矢印の方向）を意味する。すなわち、後方ディスプレイ１２における表示面側に、前方ディスプレイ１１が重畳配置されている。
【００２７】
前方ディスプレイ１１は後方ディスプレイ１２の表示を透過可能なディスプレイ（例えば透明液晶ディスプレイや透明有機ＥＬディスプレイ）として構成されている。これにより、後方ディスプレイ１２の表示を前方ディスプレイ１１を通して視認可能である。すなわち、後方ディスプレイ１２の表示を前方ディスプレイ１１を透過させて、若しくは、後方ディスプレイ１２の表示を前方ディスプレイ１１の表示に重畳させて、表示可能である。
【００２８】
また、後方ディスプレイ１２が液晶ディスプレイである場合、図２に示すように、後方ディスプレイ１２を構成する液晶パネルの後方にバックライト１５が設けられる。このバックライト１５から発せられた光は、後方ディスプレイ１２の液晶パネルを介して当該後方ディスプレイ１２の前方に射出されて前方ディスプレイ１１に到達し、さらに前方ディスプレイ１１を介して当該前方ディスプレイ１１の前方に進行する。このように後方ディスプレイ１２から前方ディスプレイ１１に入射する光を前方ディスプレイ１１のバックライトとして利用することで、前方ディスプレイ１１の表示が視認可能となる。なお、有機ＥＬディスプレイを用いて後方ディスプレイ１２を構成した場合には、有機ＥＬディスプレイの各画素が自発光するため、バックライト１５は不要となる。
【００２９】
また、後方ディスプレイ１２には、複数の表示レイヤー（ソフトレイヤー）をソフトウェアにより仮想的に重畳して表示することができる。例えば、図２に例示するように、後方ディスプレイ１２において仮想的に重畳された２つの表示レイヤー（最前方レイヤー及び後方レイヤー）を表示することができる。以下では、前方ディスプレイ１１に表示された画面（前方表示画面）と後方ディスプレイ１２に表示された画面（後方表示画面）とを重畳表示させる場合について説明する。ただし、本発明は、ディスプレイを一つのみ備えた表示システムに適用することもできる。すなわち、当該ディスプレイにおいて、上記のように、前方の表示レイヤーに表示された画面（前方表示画面）と後方の表示レイヤーに表示された画面（後方表示画面）とをソフトウェアにより仮想的に重畳表示させてもよい。
【００３０】
図３は前方ディスプレイ１１及び後方ディスプレイ１２の表示を例示した正面図であり、図３（ａ）は前方ディスプレイ１１の表示を例示した図、図３（ｂ）は後方ディスプレイ１２の表示を例示した図、図３（ｃ）は重畳配置された前方ディスプレイ１１及び後方ディスプレイ１２の前方から見た場合の表示を例示した図である。例えば図３（ａ）に示すように、前方ディスプレイ１１には各種アイコンが表示される。また、前方ディスプレイ１１におけるアイコン以外の領域は透明になるように設定される（例えば前方ディスプレイ１１が液晶ディスプレイを用いて構成されている場合、アイコン以外の領域の色が「白」に設定される）。また、図３（ｂ）に示すように、後方ディスプレイ１２には地図が表示される。この場合、図３（ｃ）に示すように、前方ディスプレイ１１におけるアイコン以外の領域では後方ディスプレイ１２に表示されている地図を前方ディスプレイ１１を透過させて表示可能となっている。また、前方ディスプレイ１１におけるアイコンの領域では、後方ディスプレイ１２に表示されている地図を前方ディスプレイ１１に表示されているアイコンに重畳させて表示可能となっている（すなわち、前方ディスプレイ１１のアイコンと後方ディスプレイ１２の地図とが重なって見える）。
【００３１】
（構成−制御部）
図１に戻り、制御部１３は、表示システム１の各部を制御するための制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、本実施の形態に係る表示プログラムは、任意の記録媒体又はネットワークを介して表示システム１にインストールされることで、制御部１３の各部を実質的に構成する。
【００３２】
この制御部１３は、機能概念的に、前方制御部１３ａ及び後方制御部１３ｂを備えている。前方制御部１３ａは、前方ディスプレイ１１の表示制御を行う前方制御手段である。後方制御部１３ｂは、後方ディスプレイ１２の表示制御を行う後方制御手段である。この後方制御部１３ｂは、仮想的に重畳された複数の表示レイヤー毎の表示制御を行う。これらの制御部１３の各部によって実行される処理の詳細については後述する。
【００３３】
（構成−データ記録部）
データ記録部１４は、表示システム１の動作に必要なプログラム及び各種のデータを記録する記録手段であり、例えば、外部記憶装置としてのハードディスク（図示省略）の如き磁気的記録媒体を用いて構成されている。ただし、ハードディスクに代えてあるいはハードディスクと共に、フラッシュメモリの如き半導体型記憶媒体、又はＤＶＤやブルーレイディスクの如き光学的記録媒体を含む、その他の任意の記録媒体を用いることができる。
【００３４】
このデータ記録部１４は、地図情報データベース１４ａ（以下、データベースを「ＤＢ」と称する）を備えている。地図情報ＤＢ１４ａは、地図情報を格納する地図情報格納手段である。「地図情報」は、例えばリンクデータ（リンク番号、接続ノード番号、道路座標、道路種別、車線数、法定速度、走行規制等）、ノードデータ（ノード番号、座標）、地物データ（信号機、道路標識、ガードレール、建物等）、施設データ（各施設の位置、各施設の種別等）、地形データ等を含んで構成されている。
【００３５】
（処理−表示処理）
次に、このように構成された表示システム１によって実行される表示処理について説明する。図４は表示処理のフローチャートである（以下の各処理の説明ではステップを「Ｓ」と略記する）。例えばナビゲーションアプリケーションやＨＭＩ（Ｈｕｍａｎ  Ｍａｃｈｉｎｅ  Ｉｎｔｅｒｆａｃｅ）アプリケーション（いずれも図示省略）等により、前方ディスプレイ１１及び後方ディスプレイ１２の全体として何を表示するのかが決定された場合に、繰り返し実行される。
【００３６】
この処理において、前方制御部１３ａは、前方ディスプレイ１１への表示を行う（ＳＡ１）。例えば、前方制御部１３ａは、前方ディスプレイ１１に前方基本画像を描画する。「前方基本画像」とは、前方ディスプレイ１１の全面に表示する基本画像であり、例えば、単一色の無模様画像、複数色の模様画像、写真画像、地図画像等が該当する。また、前方制御部１３ａは、前方ディスプレイ１１に表示した前方基本画像に前方ボタンを重畳描画する。「前方ボタン」とは、ユーザがタッチパネル１０を介して選択可能なものとして、前方ディスプレイ１１に表示される選択用項目である。
【００３７】
次に、後方制御部１３ｂは、後方ディスプレイ１２への表示を行う（ＳＡ２）。例えば、後方制御部１３ｂは、後方ディスプレイ１２に後方基本画像を描画する。「後方基本画像」とは、後方ディスプレイ１２の全面に表示する基本画像であって、例えば、単一色の無模様画像、複数色の模様画像、写真画像、地図画像等が該当する。また、後方制御部１３ｂは、後方ディスプレイ１２に表示した後方基本画像に後方ボタンを重畳描画する。「後方ボタン」とは、ユーザがタッチパネル１０を介して選択可能なものとして、後方ディスプレイ１２に表示される選択用項目である。
【００３８】
次に、制御部１３は、前方ボタンに対応する入力受付領域を設定する（ＳＡ３）。例えば、制御部１３は、ＳＡ１で前方ディスプレイ１１に描画した前方ボタンの入力受付領域を、タッチパネル１０の接触検出面における当該前方ボタンに対応する領域に設定する。なお、「対応する領域」とは、前方ボタン又は後方ボタンの表示領域を、前方ディスプレイ１１と後方ディスプレイ１２との並設方向に沿って、タッチパネル１０の接触検出面に投影した領域を意味する（以下、同じ）。
【００３９】
また、制御部１３は、後方ボタンに対応する入力受付領域を設定する（ＳＡ４）。例えば、制御部１３は、ＳＡ１で後方ディスプレイ１２に描画した後方ボタンの入力受付領域を、タッチパネル１０の接触検出面における当該後方ボタンに対応する領域に設定する。
【００４０】
（処理−表示処理−入力制御処理）
その後、制御部１３は、タッチパネル１０の入力制御処理を起動する（ＳＡ５）。図５は入力制御処理のフローチャートである。本実施の形態においては、入力制御処理として、ユーザが、任意の目的地を選択し、ＧＰＳ等を用いた公知の方法で特定された現在地から、当該選択された目的地までの経路を探索する場合について説明する。この処理において、前方制御部１３ａは、前方ディスプレイ１１に、目的地を選択するための選択用画面を表示する（ＳＢ１）。図６は前方ディスプレイ１１及び後方ディスプレイ１２の表示を例示した正面図であり、図６（ａ）は前方ディスプレイ１１の表示を例示した図、図６（ｂ）は後方ディスプレイ１２の表示を例示した図である。図６（ａ）に示すように、選択用画面は、入力領域１１ａと、入力結果表示領域１１ｂと、選択用項目表示領域１１ｃとを含んで構成されている。入力領域１１ａにはキーボードが仮想的に表示されており、このキーボードにユーザがタイプした情報が入力結果表示領域１１ｂに表示されると共に、この情報に基づいて検索された選択用項目が選択用項目表示領域１１ｃにリスト表示される。
【００４１】
次いで、図５において、制御部１３は、選択用画面に対するユーザからの情報の入力状態を監視し（ＳＢ２）、ユーザから情報が入力された場合には（ＳＢ２、Ｙｅｓ）、当該情報を検索キーとして公知の方法により選択用項目を検索する（ＳＢ３）。例えば、図６（ａ）に示すように、入力領域１１ａを介して情報「Ｌ」が入力され入力結果表示領域１１ｂに表示された場合には、「Ｌ」が頭に付く地名として、「ＬＯＳ」、「ＬＯＳ２」等をデータ記録部１４の地図情報ＤＢ１４ａから取得する。
【００４２】
そして、図５において、前方制御部１３ａは、当該検索された選択用項目を選択用項目表示領域にリスト表示する（ＳＢ４）。このリスト表示を行う際、前方制御部１３ａは、当該検索された選択用項目の数を取得し、当該検索された選択用項目の中から所定数（以下、所定表示数）の選択用項目を抽出して表示する。所定表示数の設定方法は任意であるが、例えば、選択用項目表示領域に表示可能な最大数を設定する。選択用項目の抽出方法も任意であるが、例えば、アルファベット順や五十音順に先頭から所定数の選択用項目を抽出する。
【００４３】
次いで、後方制御部１３ｂは、図６（ｂ）に示すように、選択用項目表示領域１１ｃのリストにおいてフォーカスされている選択用項目に対応する情報を、後方ディスプレイ１２に表示する（ＳＢ５）。「フォーカスされている選択用項目」とは、本実施の形態においては、選択用項目のリストの最上方位置に表示されている選択用項目である（図６（ａ）の例では選択用項目＝「ＬＯＳ」）。「選択用項目に対応する情報」とは、本実施の形態においては、選択用項目により特定される目的地を含んだ地図画像である。すなわち、後方制御部１３ｂは、選択用項目のリストの最上方位置に表示されている選択用項目を前方制御部１３ａから取得し、当該取得した選択用項目により特定される目的地を含んだ地図画像をデータ記録部１４の地図情報ＤＢ１４ａから取得して後方ディスプレイ１２に表示する。この表示は、後方ディスプレイ１２の表示領域の全面に対して行う。
【００４４】
次いで、図５において、制御部１３は、選択用項目表示領域に表示されている選択用項目がタッチパネル１０を介して「仮選択」又は「最終選択」されたか否かを判定する（ＳＢ６）。すなわち、本実施の形態では、選択方法として、「仮選択」と「最終選択」の２種類の選択方法があることを前提としている。「仮選択」とは、選択用項目を暫定的に選択することによって、当該選択用項目に対応する情報を後方ディスプレイ１２に表示させるための選択であって、当該選択用項目に対応する制御（本実施の形態では、当該選択用項目により特定される目的地に対する経路探索制御。以下同じ）は起動させない選択方法である。「最終選択」とは、選択用項目を最終選択することによって、当該選択用項目に対応する情報を後方ディスプレイ１２に表示させるための選択であって、当該選択用項目に対応する制御を起動させる制御である。これら２種類の選択方法の判定方法は任意であるが、本実施の形態では、タッチパネル１０を介した操作方法により判定を行う。例えば、タッチパネル１０が「なぞり操作（スクロール操作）」された場合には仮選択であると判定し、タッチパネル１０が「シングルタッチ」された場合には最終選択であると判定する。「なぞり操作」であるか「シングルタッチ」であるかの判定は、タッチパネル１０にて検知されたユーザの指の数、移動軌跡、及び移動速度を組み合わせて、公知の方法により行うことができる。
【００４５】
そして、仮選択されたと判定した場合（ＳＢ６、仮選択）、前方制御部１３ａは、当該選択が行われる毎に、ＳＢ７からＳＢ９を繰り返す。すなわち、ユーザによって行われたなぞり操作に基づき、選択用項目表示領域にリスト表示している選択用項目をスクロールする（ＳＢ７）。例えば、選択用項目Ｌ１〜Ｌｎ（ｎは１以上の任意の整数）が存在する場合において、この中の所定表示数の選択用項目Ｌ１〜Ｌｍ（ｍは１以上でｎ未満の整数）を鉛直方向に沿って表示している場合において（具体的には、選択用項目Ｌ１を最上方位置に表示し、選択用項目Ｌ２を選択用項目Ｌ１の隣接下方位置に表示し、以降同様に選択用項目Ｌ３〜Ｌｍ−１を順次下方に表示し、選択用項目Ｌｍを最下方位置に表示している場合において）、鉛直上方に向けてなぞり操作が行われた場合を想定する。この場合、最上方位置に表示させている選択用項目Ｌ１を消去し、最上方位置に選択用項目Ｌ２を移動させて表示し、以降同様に各選択用項目Ｌ２〜Ｌｍを上方に順次移動させて表示し、最下方位置にはＬｍ＋１を表示する。このようなスクロールによって移動させる選択用項目の数や移動速度は、タッチパネル１０にて検知されたユーザの指のストロークと移動速度に応じて決定され、指のストロークが長い程、多くの選択用項目を移動させ、指の速度が速い程、速い速度で選択用項目を移動させる。
【００４６】
この際、選択用項目表示領域に表示されることなく待機している選択用項目のリスト（上記の例の初期状態においては、選択用項目Ｌｍ＋１〜Ｌｎによるリスト）を、後方制御部１３ｂは後方ディスプレイ１２に表示させる。この表示は、例えば、待機している選択用項目のリストの最下方位置が、選択用項目表示領域のリストの最下方位置よりやや下方に位置するように行われる（図６（ｂ）の領域１２ａ）。このことにより、選択用項目表示領域のリストに対して、待機している選択用項目のリストが重畳表示され、これら２つのリストが一つの連続した立体的なリストを構成しているような視覚的効果を生み出すことができる。ただし、待機している選択用項目のリストにおいて、最下方位置以外の選択用項目を暗い明度で表示した場合には、選択用項目表示領域のリストが見難くなるため、最下方位置以外の選択用項目については明るい明度（例えば、白抜き）で表示することが好ましい（図６（ｂ）の領域１２ｂ）。
【００４７】
次いで、図５において、後方制御部１３ｂは、選択用項目表示領域のリストにおいてフォーカスされている選択用項目に対応する情報を、後方ディスプレイ１２に表示する（ＳＢ８）。
【００４８】
その後、制御部１３は、ＳＢ６と同様に、選択用項目表示領域に表示されている選択用項目がタッチパネル１０を介して「仮選択」又は「最終選択」されたか否かを判定する（ＳＢ９）。そして、「仮選択」されたと判定した場合には、再びＳＢ６からＳＢ９を繰り返す。以降同様に、「最終選択」されたと判定する迄、ＳＢ６からＳＢ９を繰り返す。このことにより、ユーザが選択用項目をなぞり操作する毎に、選択用項目表示領域のリストにおいてフォーカスされている選択用項目に対応する地図画像が後方ディスプレイ１２に表示される。図７は前方ディスプレイ１１及び後方ディスプレイ１２の表示を例示した正面図であり、図７（ａ）は前方ディスプレイ１１の表示を例示した図、図７（ｂ）は後方ディスプレイ１２の表示を例示した図である。この図７（ａ）では、選択用項目表示領域の最上位位置に図６（ａ）とは異なる選択用項目（選択用項目＝「ＬＯＳ３」）が表示されており、フォーカスされている選択用項目が変わっていることを示している。この場合、図７（ｂ）に示すように、図６（ｂ）とは異なる地図画像が表示されている。このため、ユーザは、この地図画像を見ながら選択用項目の選択を行うことができ、選択用項目の選択を視覚的に行うことが可能になる。
【００４９】
一方、図５のＳＢ６又はＳＢ９において、「最終選択」されたと判定した場合（ＳＢ６、最終選択、ＳＢ９、最終選択）、制御部１３は、最終選択された選択用項目に対応する制御を起動する（ＳＢ１０）。例えば、最終選択された選択用項目によって特定される地点を目的地に設定し、ＧＰＳ等を用いた公知の方法で特定された現在地から、当該設定された目的地までの経路を探索する。これにて入力制御処理を終了し、図４の表示処理に戻る。
【００５０】
（処理−表示処理−表示変更処理）
その後、制御部１３は、表示変更処理を起動する（ＳＡ６）。図８は表示変更処理のフローチャートである。この処理において、前方制御部１３ａは、前方ディスプレイ１１に表示していた選択用画面を消去する（ＳＣ１）。
【００５１】
次いで、後方制御部１３ｂは、入力制御処理のＳＢ１０で探索された経路を表示する地図画像を後方ディスプレイ１２に表示する（ＳＣ２）。この地図画像は、現在地と目的地を含む地図画像をデータ記録部１４の地図情報ＤＢ１４ａから取得し、当該取得した地図画像に上記探索された経路を示すルート表示を重畳することにより形成される。このように前方ディスプレイ１１の表示を消去した上で、地図画像を後方ディスプレイ１２に表示することにより、地図画像が前方ディスプレイ１１の表示によって遮られたり重畳したりして見難くなることを防止でき、地図画像の視覚効果を高めることができる。これにて表示変更処理を終了し、表示処理を終了する。
【００５２】
（実施の形態１の効果）
このように実施の形態１によれば、前方表示画面に選択可能な選択用情報を表示し、タッチパネル１０を介して選択用情報が選択された場合に、選択された当該選択情報に対応する情報を前記後方表示画面に表示するので、後方表示画面に表示した選択用情報に対応した情報を見ながら、当該選択用情報に対する操作を行うことができ、選択用情報の操作を行う際の利便性や視覚効果を向上させることができる。
【００５３】
また、選択用項目が仮選択された場合、当該仮選択された選択用項目に対応する情報を後方表示画面に表示し、選択用項目が最終選択され、かつ、当該最終選択された選択用項目に対応する制御が起動された場合、当該最終選択された選択用項目に対応する情報を後方表示画面に表示するので、後方表示画面の選択用情報に対応した情報を見ながら、当該選択用情報に対する仮の選択や最終の選択の操作を行うことができ、選択用情報の選択を行う際の利便性や視覚効果を向上させることができる。
【００５４】
また、前方ディスプレイ１１の前方表示画面に選択可能な選択用情報を表示し、入力手段を介して選択用情報が選択された場合に、選択された当該選択情報に対応する情報を後方ディスプレイ１２の前記後方表示画面に表示するので、前方ディスプレイ１１と後方ディスプレイ１２とを重畳配置して構成されたマルチレイヤーディスプレイ型の表示システムにおいて、視覚効果を一層向上させることができる。
【００５５】
〔実施の形態２〕
次に、実施の形態２に係る表示システムについて説明する。この実施の形態２は、前方ディスプレイ１１に表示されている選択用情報に対応する情報を、後方ディスプレイ１２の分割画面の一部に表示する形態である。なお、実施の形態２の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【００５６】
（処理−表示処理−入力制御処理）
本実施の形態に係る表示システムによって実行される表示処理について説明する。図９は本実施の形態に係る入力制御処理のフローチャートである。この処理において、ＳＤ１〜ＳＤ４、ＳＤ６、ＳＤ７、ＳＤ９、ＳＤ１０は、図５に示した実施の形態１の入力制御処理のＳＢ１〜ＳＢ４、ＳＢ６、Ｂ７、ＳＢ９、ＳＢ１０とそれぞれ同様であるため、その説明は省略する。
【００５７】
ＳＤ５において、後方制御部１３ｂは、後方ディスプレイ１２の表示領域を所定方法で２分割し、一方の表示領域（以下、現在地表示領域）には、現在地の地図画像を表示し、他方の表示領域（以下、目的地表示領域）には、選択用項目表示領域のリストにおいてフォーカスされている選択用項目に対応する情報（本実施の形態においては、目的地候補の地図画像）を表示する（ＳＤ５）。このように表示領域を２分割する方法は任意であり、例えば、上下又は左右に均等に分割したり、上下又は左右に不均等（一方を他方より大きく）に分割したりすることが考えられる。以下では、上下に均等に分割した場合であって、下方を現在地表示領域、上方を目的地表示領域とした場合について説明する。
【００５８】
図１０は、後方ディスプレイ１２の表示を例示した正面図であり、図１０（ａ）は縮尺変更前の図、図１０（ｂ）は縮尺変更中の図、図１０（ｃ）は縮尺変更後の図である。図１０（ａ）に示すように、下方の現在地表示領域には、現在地の地図画像が表示されており、上方の目的地表示領域には、目的地候補の地図画像が表示されている。現在地の地図画像は、ＧＰＳ等を用いた公知の方法で特定された現在地を含んだ地図画像を、データ記録部１４の地図情報ＤＢ１４ａから取得して表示する。また、目的地候補の地図画像は、ＳＤ４において選択用項目表示領域に表示された選択用項目のリストの中で、フォーカスされている選択用項目（最上方位置に表示されている選択用項目）によって特定される地点を含んだ地図画像を、データ記録部１４の地図情報ＤＢ１４ａから取得して表示する。
【００５９】
このようにＳＤ５において現在地の地図画像や目的地候補の地図画像を表示する際の縮尺（以下、初期縮尺）としては、これら現在地や目的地の各々の視認性を高めるために、これら現在地や目的地を可能な限り大きく表示できるような所定の拡大縮尺（例えば、２５ｍスケールや５０ｍスケール等）が設定される。この際、現在地表示領域と目的地表示領域とに関し、相互に個別的に最適な縮尺を決定するため、これらの縮尺は、相互に同一になるとは限らず、相互に異なるものであってもよい。特に、現在地がピンポイントで特定されているのに対して、目的地候補がそれよりも大きな単位（例えば市区町村単位）でしか特定されていない場合には、これらの縮尺は相互に異なるものとなる。
【００６０】
次いで、図９のＳＤ６、ＳＤ７を経た後、ＳＤ８において、後方制御部１３ｂは、選択用項目表示領域のリストにおいてフォーカスされている選択用項目（仮選択された選択用項目）に対応する情報を、後方ディスプレイ１２に表示する（ＳＤ８）。この際、現在地表示領域には現在地の地図画像を表示したままとし、目的地表示領域の表示内容のみを、当該フォーカスされている選択用項目によって特定される地点を含んだ地図画像に変更する。このことにより、ユーザが選択用項目をなぞり操作する毎に、選択用項目表示領域のリストにおいてフォーカスされている選択用項目に対応する地図画像が後方ディスプレイ１２の目的地表示領域に表示される。このため、ユーザは、この地図画像を見ながら選択用項目の選択を行うことができ、選択用項目の選択を視覚的に行うことが可能になる。その後、ＳＤ９、ＳＤ１０を経て入力制御処理を終了し、表示処理に戻る。
【００６１】
（処理−表示処理−表示変更処理）
その後、制御部１３は、表示変更処理を起動する。図１１は、表示変更処理のフローチャートである。この処理において、前方制御部１３ａは、前方ディスプレイ１１に表示していた選択用画面を消去する（ＳＥ１）。
【００６２】
次いで、後方制御部１３ｂは、その時点で後方ディスプレイ１２の現在地表示領域に表示している現在地の地図画像の初期縮尺と、目的地表示領域に表示している目的地の地図画像の初期縮尺とを取得する（ＳＥ２）。例えば、これら各地図画像を表示する毎に、その初期縮尺をＲＡＭに記録しておき、当該記録された初期縮尺を取得する。
【００６３】
そして、後方制御部１３ｂは、現在地と目的地が後方ディスプレイ１２の表示領域全体（現在地表示領域と目的地表示領域とを併せた表示領域）に収まる縮尺（以下、最終縮尺）を算定する（ＳＥ３）。この算定は、例えば、現在地と目的地が収まる縮尺の中で、最も拡大側の縮尺を公知の方法により算定する。このため、表示領域全体の一方の端部（例えば、下方の端部）に現在地を表示し、表示領域全体の他方の端部（例えば、上方の端部）に目的地を表示した場合における、縮尺を算定する。
【００６４】
次いで、後方制御部１３ｂは、縮尺変更量割合を算定する（ＳＥ４）。「縮尺変更量割合」とは、現在地表示領域に表示している現在地の地図画像の初期縮尺と、目的地表示領域に表示している目的地の地図画像の初期縮尺とを、それぞれ最終縮尺に変更する際における、単位時間当たりの縮尺変更量である。すなわち、本実施の形態では、現在地表示領域に表示している現在地の地図画像の初期縮尺を最終縮尺に変更すると共に、目的地表示領域に表示している目的地の地図画像の初期縮尺を最終縮尺に変更することにより、最終的に、これら２つの地図画像を、現在地と目的地を含んだ１つの地図画像に変更する。この際、現在地表示領域の最終縮尺への変更が完了するタイミングと、目的地表示領域の最終縮尺への変更が完了するタイミングとを、相互に一致させる。この場合、現在地の地図画像の初期縮尺と目的地の地図画像の初期縮尺とが、相互に同一である場合には、これら各地図画像を相互に同一の縮尺変更量割合で変化させればよいが、相互に異なる場合には、これら各地図画像を相互に異なる縮尺変更量割合で変化させる必要がある。つまり、これら各地図画像を、目的地が最終選択されてから現在地表示領域と目的地表示領域を統合する迄の時間（以下、統合所要時間）に応じた割合で、それぞれ変化させる必要がある。具体的には、後方制御部１３ｂは、最終縮尺から現在地の地図画像の初期縮尺を減算し、この減算結果を所定の統合所要時間で除算することにより、現在地の地図画像の縮尺変更量割合（以下、現在地縮尺変更量割合）を算定する。また、後方制御部１３ｂは、最終縮尺から目的地の地図画像の初期縮尺を減算し、この減算結果を所定の統合所要時間で除算することにより、目的地の地図画像の縮尺変更量割合（以下、目的地縮尺変更量割合）を算定する。なお、本実施の形態では、現在地の地図画像の縮尺変更量割合と、目的地の地図画像の縮尺変更量割合とは、いずれも一定とする。ただし、最初は緩慢な割合に縮尺変更し、徐々に速い割合で縮尺変更する等、現在地の地図画像の縮尺変更量割合と、目的地の地図画像の縮尺変更量割合とを、それぞれ時間経過に応じて変動させてもよい。
【００６５】
その後、後方制御部１３ｂは、現在地の地図画像の縮尺を、ＳＥ４で算定した現在地縮尺変更量割合で変更すると共に、目的地の地図画像の縮尺を、ＳＥ４で算定した目的地縮尺変更量割合で変更する（ＳＥ５）。以降、後方制御部１３ｂは、各地図画像の縮尺が最終縮尺になるまで、これらの変更を継続する。
【００６６】
そして、各地図画像の縮尺が最終縮尺になった場合（ＳＥ６、Ｙｅｓ）、後方制御部１３ｂは、これら縮尺変更後の現在地の地図画像と目的地の地図画像とを総合に統合し、１枚の地図画像として後方ディスプレイ１２の表示領域全体に表示する（ＳＥ７）。これにて表示変更処理を終了し、表示処理を終了する。
【００６７】
図１０（ｂ）に示すように、縮尺変更中には、図１０（ａ）と比べて、下方の現在地表示領域に表示された現在地の地図画像が徐々に縮尺変更（具体的には縮小）されると共に、上方の目的地表示領域に表示された目的地の地図画像が徐々に縮尺変更（具体的には縮小）される。そして、最終的には、図１０（ｃ）に示すように、現在地の地図画像と目的地の地図画像とが相互に同一の縮尺で、統合された１枚の地図画像として表示される。
【００６８】
（実施の形態２の効果）
このように実施の形態２によれば、タッチパネル１０を介して選択用情報が選択された場合に、選択された当該選択情報に対応する情報を前記後方表示画面に表示するので、後方表示画面に表示した選択用情報に対応した情報を見ながら、当該選択用情報に対する操作を行うことができ、選択用情報の操作を行う際の利便性や視覚効果を向上させることができる。
【００６９】
また、目的地が仮選択された場合、後方表示画面の表示領域を少なくとも２分割し、いずれか一つの表示領域には所定方法で決定された現在地を含む地図情報を表示すると共に、いずれか一つの他の表示領域には仮選択された目的地を含む地図情報を表示し、目的地が最終選択され、当該最終選択された目的地と現在地とに対する経路検索が起動された場合、一つの表示領域には現在地を含む地図情報を表示すると共に、一つの他の表示領域には最終選択された目的地を含む地図情報を表示した後、当該一つの表示領域と当該他の表示領域を統合して形成された一つの表示領域に現在地及び最終選択された目的地を含む地図情報を表示するので、現在地と目的地を確認が容易な拡大縮尺でそれぞれ表示した後、これらの間の経路の確認が容易な統合表示を行うので、経路検索を行う際の利便性や視覚効果を向上させることができる。
【００７０】
また、現在地を含む地図情報の縮尺と、目的地を含む地図情報の縮尺とを、相互に異なる縮尺とするので、現在地と目的地を確認が容易な拡大縮尺にそれぞれ最適化することができ、経路検索を行う際の利便性や視覚効果を一層向上させることができる。
【００７１】
また、現在地を含む地図情報の縮尺と、目的地を含む地図情報の縮尺とを、目的地が最終選択されてから一つの表示領域と他の表示領域を統合する迄の時間に応じた割合でそれぞれ変化させることにより、現在地を含む地図情報と目的地を含む地図情報とを同一のタイミングで相互に同一の縮尺の地図情報とするので、異なる縮尺の地図情報を縮尺変更しながら最終的に同一タイミングで同一の縮尺で表示することができ、経路検索を行う際の視覚効果を一層向上させることができる。
【００７２】
〔実施の形態に対する変形例〕
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００７３】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。例えば、選択用情報と選択結果との対応関係を視覚的に把握することの問題点が完全には解決できていない場合であっても、把握のし易さを従来技術より僅かでも向上できている場合や、従来技術とは異なる技術で従来と同等の把握のし易さを得ている場合には、課題が解決されている。
【００７４】
（表示システムについて）
上述の実施の形態では、前方ディスプレイ１１と後方ディスプレイ１２が距離を隔てて重畳配置された表示システム１について説明したが、このような２枚のディスプレイを重畳配置する場合に限らず、３枚以上の複数のディスプレイが距離を隔てて重畳配置された表示システムにも本発明を同様に適用することができる。
【００７５】
（選択用情報について）
上述の実施の形態では、選択用情報として、経路探索の目的地を選択するための選択用項目を表示する場合について説明したが、その目的や内容は任意であり、例えば、聴きたい音楽を選曲する場合において、前方ディスプレイ１１には、音楽の曲名やアーティスト名を選択用情報としてリスト表示し、後方ディスプレイ１２には、仮選択された曲名やアーティスト名に対する静止画や動画を表示するようにしてもよい。また、経路探索の目的地を選択する場合においても、前方ディスプレイ１１には、目的地として選択する施設の名称や電話番号を入力する画面を表示し、後方ディスプレイ１２には、入力された名称や電話番号に対応する施設の地図画像、外観画像、口コミ情報等を表示してもよい。
【００７６】
（後方ディスプレイにおける分割数について）
上述の実施の形態では、後方ディスプレイ１２を２分割した例について説明したが、３分割以上に分割してもよく、この場合には、例えば、目的地、現在地の他に、テレビ画像や天気予報画像を表示してもよい。
【００７７】
（実施の形態の相互間の関係について）
実施の形態１の構成又は処理と、実施の形態２の構成又は処理とは、その一部を他方に取り入れたり、相互に交換したりすることができる。
【符号の説明】
【００７８】
１  表示システム
１０  タッチパネル
１１  前方ディスプレイ
１２  後方ディスプレイ
１３  制御部
１３ａ  前方制御部
１３ｂ  後方制御部
１４  データ記録部
１４ａ  地図情報ＤＢ
１５  バックライト
【図１】
2013130551.tif 000003
【図２】
2013130551.tif 000004
【図３】
2013130551.tif 000005
【図４】
2013130551.tif 000006
【図５】
2013130551.tif 000007
【図６】
2013130551.tif 000008
【図７】
2013130551.tif 000009
【図８】
2013130551.tif 000010
【図９】
2013130551.tif 000011
【図１０】
2013130551.tif 000012
【図１１】
2013130551.tif 000013